(57)【特許請求の範囲】
【請求項１】
プリンタ識別情報を商品コード毎に書換自在に記憶するプリンタ識別情報テーブルと、
出力先プリンタ情報と前記プリンタ識別情報との対応関係を対応関係グループとしてグループ分けして書換自在に記憶する出力先プリンタ情報テーブルと、
前記出力先プリンタ情報テーブルに基づいて対応関係グループ情報を時間帯毎に書換自在に記憶する対応関係グループ情報テーブルと、
時刻を計時する計時手段と、
入力操作に応じて、前記出力先プリンタ情報テーブルに基づいて前記対応関係グループのうちいずれか一つを指定する第一の対応関係グループ指定手段と、
前記対応関係グループ情報テーブルに基づいて前記計時手段によって計測された時刻毎に前記対応関係グループを指定する第二の対応関係グループ指定手段と、
前記第一および第二の対応関係グループ指定手段を切換自在にする切換手段と、
前記商品コードを外部から受信する受信手段と、
前記プリンタ識別情報テーブルを参照して前記受信手段により受信した前記商品コードに対応する前記プリンタ識別情報を得るプリンタ識別情報選択手段と、
前記第一あるいは第二の対応関係グループ指定手段により指定された前記対応関係グループを参照して前記プリンタ識別情報選択手段により得られた前記プリンタ識別情報に対応する前記出力先プリンタ情報を得る出力先プリンタ情報選択手段と、
前記出力先プリンタ情報選択手段により選択された前記出力先プリンタ情報によって特定されるプリンタに対して印字データを出力する出力手段と、
を備える注文データ管理装置。
【発明の詳細な説明】
【０００１】
【発明の属する技術分野】
本発明は、レストランシステム等に利用される注文データ管理装置に関する。
【０００２】
【従来の技術】
従来、レストラン等の飲食店では、顧客の注文を正確かつ迅速に調理人に伝達するために注文データ管理装置が利用されている。このような注文データ管理装置は、店員が個々に携帯する複数のハンディターミナルと、注文データ管理装置と、厨房等の各所に設置した所定数のキッチンプリンタと、会計処理部に設置した電子キャッシュレジスタとを、通信自在に設けたものである。このうち、注文データ管理装置とキッチンプリンタと電子キャッシュレジスタとは有線接続されており、ＬＡＮによって各種のデータを有線通信する。また、ハンディターミナルは、注文データ管理装置に設けられた無線通信装置を介して、注文データ管理装置と各種のデータを無線通信する。
【０００３】
このような注文データ管理装置では、ハンディターミナルから無線通信された商品コードに基づいて注文データを作成し、作成した注文データをＬＡＮで電子キャッシュレジスタと所定のキッチンプリンタとに有線送信する。この際、ハンディターミナルから出力されるデータは、予め設定されている商品コードテーブルに基づいて所定のキッチンプリンタに出力される。ここで、商品コードテーブルとは、各商品あるいは各商品グループ毎に対応させて注文データの出力先キッチンプリンタを特定する出力先キッチンプリンタ情報を記憶したテーブルであり、予め各商品あるいは各商品グループ毎に対応させた注文データの出力先キッチンプリンタ情報を記憶しておくことで、注文された商品に適したキッチンプリンタに注文データを出力して作業をスムーズに行わせることが可能になる。
【０００４】
【発明が解決しようとする課題】
注文データ管理装置の使用に際しては、忙しい時間帯には店員の人数も多いためキッチンプリンタの出力先を分散させて対応することが望ましいが、暇な時間帯には店員の人数も少なくなるため、作業の効率化と運用のコスト面とから伝票を発行するキッチンプリンタの台数を減らして対応する方が望ましい。ところが、上述した注文データ管理装置では、注文データの出力先を変更するためには、商品コードテーブルに記憶されている各商品あるいは各商品グループ毎に出力先キッチンプリンタ情報を変更しなければならないため操作が煩わしく、キッチンプリンタの出力先の変更を容易に行うことができないという問題がある。このため、状況に合わせてキッチンプリンタの出力先の変更を行うことは、実際の開店中には困難であるという不都合がある。また、キッチンプリンタの故障等により、開店中に出力先キッチンプリンタ情報の変更を行わなくてはならない場合にも、非常に多くの労力と時間とを費やさなければならないため、状況に合わせてキッチンプリンタの出力先の変更を容易に行うことができないという問題もあり、これによって作業性が低下するという不都合がある。
【０００５】
本発明は、商品コード毎のプリンタの出力先の変更を容易に行うことができる注文データ管理装置を得ることを目的とする。
【０００６】
本発明は、状況に合わせてプリンタの出力先の変更を容易に行うことができる注文データ管理装置を得ることを目的とする。
【０００７】
【課題を解決するための手段】
【００１１】
請求項１記載の発明の注文データ管理装置は、プリンタ識別情報を商品コード毎に書換自在に記憶するプリンタ識別情報テーブルと、出力先プリンタ情報と前記プリンタ識別情報との対応関係を対応関係グループとしてグループ分けして書換自在に記憶する出力先プリンタ情報テーブルと、前記出力先プリンタ情報テーブルに基づいて対応関係グループ情報を時間帯毎に書換自在に記憶する対応関係グループ情報テーブルと、時刻を計時する計時手段と、入力操作に応じて、前記出力先プリンタ情報テーブルに基づいて前記対応関係グループのうちいずれか一つを指定する第一の対応関係グループ指定手段と、前記対応関係グループ情報テーブルに基づいて前記計時手段によって計測された時刻毎に前記対応関係グループを指定する第二の対応関係グループ指定手段と、前記第一および第二の対応関係グループ指定手段を切換自在にする切換手段と、前記商品コードを外部から受信する受信手段と、前記プリンタ識別情報テーブルを参照して前記受信手段により受信した前記商品コードに対応する前記プリンタ識別情報を得るプリンタ識別情報選択手段と、前記第一あるいは第二の対応関係グループ指定手段により指定された前記対応関係グループを参照して前記プリンタ識別情報選択手段により得られた前記プリンタ識別情報に対応する前記出力先プリンタ情報を得る出力先プリンタ情報選択手段と、前記出力先プリンタ情報選択手段により選択された前記出力先プリンタ情報によって特定されるプリンタに対して印字データを出力する出力手段と、を備える。
【００１２】
したがって、プリンタ識別情報テーブルを参照して受信手段により受信した商品コードに対応するプリンタ識別情報をプリンタ識別情報選択手段により得て、出力先プリンタ情報テーブルあるいは対応関係グループ情報テーブルにおける指定された対応関係グループを参照してプリンタ識別情報選択手段により得られたプリンタ識別情報に対応する出力先プリンタ情報を出力先プリンタ情報選択手段により得て、出力先プリンタ情報選択手段により得られた出力先プリンタ情報によって特定されるプリンタに対して出力手段により印字データを出力する。ここで、切換手段によって切り換えられた第一あるいは第二の対応関係グループ指定手段により対応関係グループを指定することで、第一の対応関係グループ指定手段により対応関係グループのうちのいずれか一つを指定するだけの作業で任意に商品コード毎に出力先プリンタ情報を変更する、あるいは、第二の対応関係グループ指定手段により所定時刻毎に対応関係グループを指定させることで格別な操作を必要とせずに時間帯毎に商品コード毎の出力先プリンタ情報を変更することが可能になる。
【００１３】
【発明の実施の形態】
本発明の第一の前提構成例を図１ないし図５に基づいて説明する。本実施の形態は、レストラン等の飲食店での注文に対応するレストランシステムに適用したものである。
【００１４】
図１は、レストランシステムを示す摸式図である。レストランシステムは、店員が個々に携帯して商品コード１８ａ(図３(ａ)参照)の入力を受け付ける複数のハンディターミナル１、会計処理部(図示せず)に設置された注文データ管理装置としてのＥＣＲ２、洋食厨房・和食厨房・ドリンクカウンタ等の各場所毎に複数配設されたキッチンプリンタ３等から構成されている。ＥＣＲ２には、各種操作キーを備えるキーボード４、図示しない鍵により操作モードを切り換え操作するコントロールキー４ａ、ＥＣＲ２に内蔵されて印字部３１(図２参照)を駆動することで所定事項を印字してレシートとして発行するＲ／Ｊプリンタ５(図２参照)、所定事項を表示するためのディスプレイ６等が備えられている。また、ＥＣＲ２は、現金を出入自在に収納するドロワ７の上に載置されている。キッチンプリンタ３には、複数あるキッチンプリンタ３を種類毎に識別するためのプリンタ識別情報としてのキッチンプリンタ識別番号８(図３参照)と、キッチンプリンタ３を個々に特定するための出力先プリンタ情報としての出力先キッチンプリンタ番号９(図３参照)とがそれぞれに付されている。ここで、キッチンプリンタ３の種類とは、例えば洋食厨房・和食厨房・ドリンクカウンタ等のキッチンプリンタ３が配設される場所毎に分類される種類を意味する。
【００１５】
図２は、レストランシステムが備える各部の電気的接続を示すブロック図である。ＥＣＲ２は、各種のデータ処理を実行することで各部を集中的に駆動制御するＣＰＵ１０を備え、このＣＰＵ１０には制御プログラムあるいは商品データ等の固定的データを格納するＲＯＭ１１と、可変的なデータを書換自在に記憶するＲＡＭ１２とがバスライン１３を介して接続されている。また、ＣＰＵ１０には、上述したキーボード４、ディスプレイ６、Ｒ／Ｊプリンタ５、ドロワ７等が各種制御回路（図示せず）を介してバスライン１３に接続されている。さらに、ＣＰＵ１０には、時刻を計時する計時手段としてのタイマ１４、ハンディターミナル１とＥＣＲ２との間で各種データを無線通信するための受信手段としての無線通信インターフェイス１５、キッチンプリンタ３とＥＣＲ２との間で各種データを有線通信するための有線通信インターフェイス１６等がバスライン１３を介して接続されている。またさらに、ＣＰＵ１０には、誤操作があった場合等に警告音を発することで操作者に対して注意を促すブザー１７が所定の制御回路（図示せず）を介してバスライン１３に接続されている。
【００１６】
ＲＡＭ１２には、キッチンプリンタ識別番号８を商品コード１８ａ毎に書換自在に記憶するプリンタ識別情報テーブルとしての商品情報テーブル１８（図３（ａ）参照）と、出力先キッチンプリンタ番号９とキッチンプリンタ識別番号８との対応関係を対応関係グループとしてグループ分けして書換自在に記憶する出力先プリンタ情報テーブルとしての出力先キッチンプリンタ情報テーブル１９（図３（ｂ）参照）と、出力先キッチンプリンタ情報テーブル１９から選択したデータを一時記憶する登録テーブル２０と（図４参照）が格納されている。ここで、図３（ａ）は商品情報テーブル１８のファイル構造を示す概略図であり、図３（ｂ）は出力先キッチンプリンタ情報テーブル１９のファイル構造を示す概略図である。商品情報テーブル１８には、商品コード１８ａ、商品名１８ｂ、単価１８ｃおよびキッチンプリンタ識別番号８等の商品データがそれぞれ対応づけられて格納されている。出力先キッチンプリンタ情報テーブル１９には、出力先キッチンプリンタ番号９とキッチンプリンタ識別番号８との対応関係を対応関係グループとしてグループ分けした対応関係グループとしてのキッチンプリンタグループ１９ａ〜１９ｃのグループ情報が書換自在に記憶されている。キッチンプリンタグループ１９ａ〜１９ｃには、忙しい場合に使用するＮｏ．１のキッチンプリンタグループ１９ａ、それよりもやや暇になった場合に使用するＮｏ．２のキッチンプリンタグループ１９ｂ、深夜等の顧客が少ない場合等に使用するＮｏ．３のキッチンプリンタグループ１９ｃのように、予め種々の状況を予測したキッチンプリンタグループ１９ａ〜１９ｃのグループ情報が記憶されている。そして、Ｎｏ．１〜３のキッチンプリンタグループ１９ａ〜１９ｃは、操作者からの所定の入力操作によっていずれか一つが指定される。ここで、Ｎｏ．１〜３のキッチンプリンタグループ１９ａ〜１９ｃは、例えばコントロールキー４ａを設定モードに切り換えた状態で、操作者がキーボード４によるキー操作を行うことによっていずれか一つが指定される。また、各キッチンプリンタグループ１９ａ〜１９ｃにおける出力先キッチンプリンタ番号９とキッチンプリンタ識別番号８との対応関係は、例えばコントロールキー４ａを登録モードに切り換えた状態でのキーボード４からのキー操作によって対応づけられて出力先キッチンプリンタ情報テーブル１９に記憶される。さらに、商品情報テーブル１８におけるキッチンプリンタ識別番号８は、例えばコントロールキー４ａを登録モードに切り換えた状態でのキーボード４からのキー操作によって商品コード１８ａ毎に商品情報テーブル１８に記憶される。
【００１７】
なお、商品情報テーブル１８および出力先キッチンプリンタ情報テーブル１９は、不揮発性のメモリであるため、ＥＣＲ２の電源（図示せず）をＯＦＦにした状態でもデータが失われてしまうことはない。
【００１８】
またさらに、特に図示しないが、ＲＡＭには商品コードと出力先キッチンプリンタ番号９とを対応させて記憶する不揮発性のメモリである従来の商品コードテーブルが格納されている。
【００１９】
ハンディターミナル１は、各部を集中的に駆動制御するＣＰＵ２１を備え、このＣＰＵ２１には制御プログラム等の固定的データを格納するＲＯＭ２２と、可変的なデータを書換自在に格納するＲＡＭ２３とがバスライン２６を介して接続されている。また、ＣＰＵ２１には、操作者による商品データ等が入力されるキーボード２４、各種データを表示するディスプレイ２５等がバスライン２６を介して接続されている。さらに、ＣＰＵ２１には、ＥＣＲ２との間で各種データを無線通信する無線通信インターフェイス２７がバスライン２６を介して接続されている。
【００２０】
キッチンプリンタ３は、各部を集中的に駆動制御するＣＰＵ２８を備え、このＣＰＵ２８には制御プログラム等の固定的データを格納するＲＯＭ２９と、可変的なデータを書換自在に格納するＲＡＭ３０とがバスライン３２を介して接続されている。また、ＣＰＵ２８には、所定事項を印字する印字部３１等がバスライン３２を介して接続されている。さらに、ＣＰＵ２８には、ＥＣＲ２との間で各種データを有線通信する有線通信インターフェイス３３がバスライン３２を介して接続されている。
【００２１】
このような構成において、例えば店員等の操作者によってキーボード２４での所定の入力操作によるハンディターミナル１から出力された商品コード１８ａは、無線通信インターフェイス１５を介してＥＣＲ２に受信され、受信した商品コード１８ａに基づいて商品情報テーブル１８、出力先キッチンプリンタ情報テーブル１９を参照して出力先キッチンプリンタ番号９を得る。そして、得られた出力先キッチンプリンタ番号９によって特定されるキッチンプリンタ３に対して、有線通信インターフェイス３３を介して印字データ等の所定のデータを出力する。キッチンプリンタ３は、有線通信インターフェイス３３を介して受信した印字データ等の所定データに基づいて印字部３１によって印字を行う。
【００２２】
次に、ＲＯＭ１１に格納された制御プログラムがＣＰＵ１０に実行させる処理について説明する。
【００２３】
図５（ａ）は、キッチンプリンタ選択処理の概略を示すフローチャートである。まず、ハンディターミナル１から出力された商品コード１８ａを受信したと判断するまで待機する（ステップＳ１）。
【００２４】
ハンディターミナル１から出力された商品コード１８ａを受信したと判断すると（ステップＳ１のＹ）、商品情報テーブル１８を参照して受信した商品コード１８ａに対応するキッチンプリンタ識別番号８を得る（ステップＳ２）。ここに、ステップＳ１〜Ｓ２において、プリンタ識別情報選択手段としての機能が実行される。
【００２５】
次に、出力先キッチンプリンタ情報テーブル１９が指定されているか否かを判断する（ステップＳ３）。
【００２６】
ここで、キッチンプリンタ情報テーブル１９の指定について説明する。図５（ｂ）は、キッチンプリンタ情報テーブル１９の指定処理の概略を示すフローチャートである。まず、操作者からの所定の入力操作により、キッチンプリンタ識別番号８毎に対応させた出力先キッチンプリンタ番号９の書き換え要求（ステップＳ２１）、あるいは、キッチンプリンタ情報テーブル１９の指定要求があったと判断するまで待機する（ステップＳ２２）。
【００２７】
キッチンプリンタ識別番号８毎に対応させた出力先キッチンプリンタ番号９の書き換え要求があると判断した場合には（ステップＳ２１のＹ）、操作者からの所定の入力操作に基づいてキッチンプリンタ識別番号８毎に対応させた出力先キッチンプリンタ番号９の書き換えを行う（ステップＳ２３）。
【００２８】
一方、操作者からの所定の入力操作により、キッチンプリンタ情報テーブル１９の指定要求があったと判断すると（ステップＳ２２のＹ）、キッチンプリンタ情報テーブル１９に基づいて、操作者から要求されたキッチンプリンタグループのうちいずれか一つの対応関係グループを指定する（ステップＳ２４）。これによって、使用する状況に適したキッチンプリンタグループが指定される。ここに、ステップＳ２２、Ｓ２４において、対応関係グループ指定手段としての機能が実行される。
【００２９】
ここで、再び図５（ａ）に戻り、ステップＳ３で、出力先キッチンプリンタ情報テーブル１９が指定されていると判断した場合には（ステップＳ３のＹ）、出力先キッチンプリンタ情報テーブル１９における指定されたキッチンプリンタグループを参照してステップＳ２で得られたキッチンプリンタ識別番号８に対応する出力先キッチンプリンタ番号９を得る（ステップＳ４）。ここに、ステップＳ４において、出力先プリンタ情報選択手段としての機能が実行される。
【００３０】
一方、ステップＳ３で、出力先キッチンプリンタ情報テーブル１９が指定されていないと判断した場合には（ステップＳ３のＮ）、従来の商品コードテーブルに基づいて出力された商品コードに対応する出力先キッチンプリンタ番号９を得る（ステップＳ５）。
【００３１】
そして、ステップＳ４またはＳ５で得られた出力先キッチンプリンタ番号９によって特定されるプリンタに対して、印字データ等の所定データを出力する(ステップＳ６)。ここに、ステップＳ６において、出力手段としての機能が実行される。なお、本構成例における印字データとは、ステップＳ１で受信した商品コード１８ａに基づいて商品情報テーブル１８から検索される商品名１８ｂであり、ステップＳ６ではステップＳ１で受信した商品コード１８ａに対応する商品名１８ｂが印字出力される。
【００３２】
例えば、多忙な時間帯である場合には、出力先キッチンプリンタ情報テーブル１９に基づいてＮｏ．１のキッチンプリンタグループ１９ａに設定することで、キッチンプリンタ識別番号８が「１」であるジュースＡ・コーヒー等の注文を出力先キッチンプリンタ番号９が「１」であるキッチンプリンタ３に出力させ、キッチンプリンタ識別番号８が「２」であるサンドイッチの注文を出力先キッチンプリンタ番号９が「２」であるキッチンプリンタ３に出力させ、キッチンプリンタ識別番号８が「３」であるポテトの注文を出力先キッチンプリンタ番号９が「３」であるキッチンプリンタ３に出力させる。これによって、種々の注文をそれぞれに適したキッチンプリンタ３へ分散させて出力することができ、忙しい場合にも混乱を招くことなくスムーズに対応することができる。また、業務がある程度少ない場合には、出力先キッチンプリンタ情報テーブル１９に基づいてＮｏ．２のキッチンプリンタグループ１９ｂに設定することで、キッチンプリンタ識別番号８が「１」、「２」であるジュースＡ・コーヒー・サンドイッチの注文を出力先キッチンプリンタ番号９が「１」であるキッチンプリンタ３にまとめて出力させ、キッチンプリンタ識別番号８が「３」であるポテトの注文を出力先キッチンプリンタ番号９が「３」であるキッチンプリンタに出力させる。これによって、稼動するキッチンプリンタ３は一台となり、全ての注文データが出力先キッチンプリンタ番号９が「３」であるキッチンプリンタに出力されるので、店員の人数が少ない場合でも十分に対応することが可能になる。運用上のコストダウンにつながる。さらに、深夜等の顧客および店員が少なくなる時間帯には、出力先キッチンプリンタ情報テーブル１９に基づいてＮｏ．３のキッチンプリンタグループ１９ｃに設定することで、キッチンプリンタ識別番号８が「１」、「２」、「３」であるジュースＡ・コーヒー・サンドイッチおよびポテトの注文を全て出力先キッチンプリンタ番号９が「３」であるキッチンプリンタ３に出力させる。これによって、店員が少ない時間帯には一個所のキッチンプリンタ３で対応することにで、少人数の店員の場合でも作業性を向上させることができる。
【００３３】
本構成例では、予めキッチンプリンタ識別番号８を商品コード１８ａ毎に記憶し、出力先キッチンプリンタ番号９とキッチンプリンタ識別番号８との対応関係をキッチンプリンタグループ１９ａ〜１９ｃ毎に記憶しておくことで、操作者はキッチンプリンタグループ１９ａ〜１９ｃのうちのいずれか一つを指定するだけの操作で、商品コード１８ａ毎に出力先キッチンプリンタ番号９の設定を変更するという煩雑な操作を必要とせずに、出力先キッチンプリンタ番号９の変更を容易に行うことができる。
【００３４】
本構成例では、注文データ管理装置と電子キャッシュレジスタとが一体構造となったＥＣＲ２を適用したが注文データ管理装置と電子キャッシュレジスタとを別体で設けてもよい。
【００３５】
次に、本発明の第二の前提構成例について、図６および図７に基づいて説明する。第一の前提構成例と同一部分は同一符号を用いて説明し、説明も省略する。
【００３６】
図６は、時間帯別出力先キッチンプリンタ指定テーブルを示す概略図である。ＲＡＭ１２に格納された対応関係グループ情報テーブルとしての時間帯別出力先キッチンプリンタ指定テーブル３４には、出力先キッチンプリンタ情報テーブル１９に基づいてキッチンプリンタグループ１９ａ〜１９ｃの各グループ情報が時間帯毎に書換自在に記憶されている。
【００３７】
図７は、第二の構成例のキッチンプリンタ選択処理の概略を示すフローチャートである。まず、ハンディターミナル１から出力された商品コード１８ａを受信したと判断するまで待機する(ステップＳ１１)。
【００３８】
ハンディターミナル１から出力された商品コード１８ａを受信したと判断すると（ステップＳ１１のＹ）、商品情報テーブル１８を参照して受信した商品コード１８ａに対応するキッチンプリンタ識別番号８を得る（ステップＳ１２）。ここに、ステップＳ１１〜Ｓ１２において、プリンタ識別情報選択手段としての機能が実行される。
【００３９】
次に、タイマ１４により計測される時刻を読み出し（ステップＳ１３）、時間帯別出力先キッチンプリンタ指定テーブル３４に基づいて読み出した時刻に対応するキッチンプリンタグループを指定し、指定したキッチンプリンタグループ１９ａ〜１９ｃのグループ情報を登録テーブル２０に一時記憶する（ステップＳ１４）。ここに、ステップＳ１３〜Ｓ１４において、対応関係グループ指定手段としての機能が実行される。
【００４０】
そして、ステップＳ１４で設定した時間帯別出力先キッチンプリンタ指定テーブル３４における指定されたキッチンプリンタグループ１９ａ〜１９ｃを参照してステップＳ１２で得られたキッチンプリンタ識別番号８に対応する出力先キッチンプリンタ番号９を得る（ステップＳ１５）。ここに、ステップＳ１５において、出力先プリンタ情報選択手段としての機能が実行される。
【００４１】
そして、ステップＳ１５で選択した出力先キッチンプリンタ番号９によって特定されるキッチンプリンタ３に対して印字データ等の所定データを出力する（ステップＳ１６）。ここに、ステップＳ１６において、出力手段としての機能が実行される。
【００４２】
本構成例では、時間帯別出力先キッチンプリンタ指定テーブル３４におけるキッチンプリンタグループ１９ａ〜１９ｃを時刻に対応させて設定するようにしたので、例えば操作者は予め状況を予測して時間帯別に最適なキッチンプリンタグループ１９ａ〜１９ｃを設定しておくことで、格別な操作を必要とせずに出力先キッチンプリンタ番号９の変更を行うことができる。これによって、商品コード１８ａ毎に出力先プリンタ番号９の設定を変更するという煩雑な操作を必要とせずに容易にキッチンプリンタ３の出力先の変更を行うことができる。
【００４３】
本発明の実施の一例について説明する。第一の構成例では出力先キッチンプリンタ情報テーブル１９に基づいて操作者がキッチンプリンタグループ１９ａ〜１９ｃを任意に指定し、第二の構成例では時間帯別出力先キッチンプリンタ指定テーブル３４に基づいて所定時間毎にキッチンプリンタグループ１９ａ〜１９ｃを指定したが、本実施の形態では、操作者が任意に出力先キッチンプリンタ情報テーブル１９を設定する第一の対応関係グループ指定手段と、時刻に対応させて出力先キッチンプリンタ情報テーブル１９を設定する第二の対応関係グループ指定手段と、これら第一および第二の対応関係グループ指定手段を切換自在にする切換手段とを設け、この切換手段によって第一および第二の対応関係グループ指定手段を切り換えてキッチンプリンタグループ１９ａ〜１９ｃを指定する。これによって、例えば通常は第二の対応関係グループ指定手段によってキッチンプリンタグループ１９ａ〜１９ｃを時間に対応させて設定するようにし、予定外に忙しくなった場合等には、切換手段によって第一の対応関係グループ指定手段に切り換えてキッチンプリンタグループ１９ａ〜１９ｃを任意に設定するようにすることで、ランダムに変化する状況にも随時容易かつ適切に対応することが可能になる。
【００４４】
【発明の効果】
【００４６】
請求項１記載の発明の注文データ管理装置によれば、プリンタ識別情報テーブルを参照して受信手段により受信した商品コードに対応するプリンタ識別情報をプリンタ識別情報選択手段により得て、出力先プリンタ情報テーブルあるいは対応関係グループ情報テーブルにおける指定された対応関係グループを参照してプリンタ識別情報選択手段により得られたプリンタ識別情報に対応する出力先プリンタ情報を出力先プリンタ情報選択手段により得て、出力先プリンタ情報選択手段により得られた出力先プリンタ情報によって特定されるプリンタに対して出力手段により印字データを出力するようにしたので、切換手段によって切り換えられた第一あるいは第二の対応関係グループ指定手段により対応関係グループを指定することで、第一の対応関係グループ指定手段により対応関係グループのうちのいずれか一つを指定するだけの作業で任意に商品コード毎に出力先プリンタ情報を変更する、あるいは、第二の対応関係グループ指定手段により所定時刻毎に対応関係グループを指定させることで格別な操作を必要とせずに時間帯毎に商品コード毎の出力先プリンタ情報を変更することが可能になり、状況に合わせて商品コード毎のプリンタの出力先の変更を容易に行うことができる。
【図面の簡単な説明】
【図１】本発明の第一の前提構成例のレストランシステムを示す摸式図である。
【図２】レストランシステムが備える各部の電気的接続を示すブロック図である。
【図３】(ａ)は商品情報テーブルのファイル構造を示す概略図であり、(ｂ)は出力先キッチンプリンタ情報テーブルのファイル構造を示す概略図である。
【図４】登録テーブルのファイル構造を示す概略図である。
【図５】(ａ)はキッチンプリンタ選択処理の概略を示すフローチャートであり、(ｂ)はキッチンプリンタ情報テーブル設定処理の概略を示すフローチャートである。
【図６】時間帯別出力先キッチンプリンタ指定ファイルを示す概略図である。
【図７】本発明の第二の前提構成例のキッチンプリンタ選択処理の概略を示すフローチャートである。
【符号の説明】
８  プリンタ識別情報
９  出力先プリンタ情報
１４  計時手段
１５  受信手段
１８  プリンタ識別情報テーブル
１８ａ  商品コード
１８ｂ  印字データ
１９  出力先プリンタ情報テーブル
１９ａ〜１９ｃ  対応関係グループ
３４  対応関係グループ情報テーブル
Ｓ１〜Ｓ２  プリンタ識別情報選択手段
Ｓ４  出力先プリンタ情報選択手段
Ｓ６  出力手段
Ｓ１１〜Ｓ１２  プリンタ識別情報選択手段
Ｓ１３〜Ｓ１４  対応関係グループ指定手段
Ｓ１５  出力先プリンタ情報選択手段
Ｓ１６  出力手段
Ｓ２２、Ｓ２４  対応関係グループ指定手段
【図１】
0003628913.tif 000002
【図２】
0003628913.tif 000003
【図３】
0003628913.tif 000004
【図４】
0003628913.tif 000005
【図５】
0003628913.tif 000006
【図６】
0003628913.tif 000007
【図７】
0003628913.tif 000008